(57)【要約】【課題】単一層のトラックまたは多層トラックの何れかを有する片面形のまたは両面形のディスクを含めて、任意フォーマットのディスク中に含まれているプログラムを識別するシステムと方法を提供する。【解決手段】両面形記録媒体として、その第１面と第２面に各々プログラム・データを有する記録媒体が開示されている。更に、この媒体は、第１面に第１領域を、また第２面に第２領域を有し、これら両領域は、上記各プログラム・データに関連する特定化された情報を表わすレーザ−コード化データを持っている。この両領域は、選択された形態に応じて、互いに重なり合った重畳関係にあることも、ないことも、ある。また、上記の記録媒体にレーザ−コード化する装置および１個よりも多いレーザ−コード化領域を有するディスクを処理する方法も、開示されている。【選択図】　　　図４Ａ
2004087124.tif 000002
【特許請求の範囲】
【請求項１】
　ディスク上の１個より多い数のプログラムを識別するための１個より多い数のコード化データを有するディスクを処理する方法であって、
　前記ディスク上のレーザ−コード化領域の数を表わすカウントを識別し、
　前記ディスク上の第１のレーザ−コード化領域からの読出しによって、第１のレーザ−コード化データを求め、
　読取ったレーザ−コード化領域の数が前記カウントに等しくなるまで、前記ディスク上のその後に続くレーザ−コード化領域からの読出しによってその後に続くレーザ−コード化データを得る、ことから成る、ディスクの処理方法。
【請求項２】
　前記レーザ−コード化領域が、ＤＶＤディスクに対するバースト・カッティング領域である、請求項１に記載された処理方法。
【請求項３】
　第１の主データがピットの形式で記録されている第１の記録領域と、この第１の記録領域中の予め定められた領域であり且つ複数の反射性フィルムが部分的に除去されていることにより前記第１の主データに関連する第１の識別データが記録された第２の記録領域とを有する光ディスクであって、
　第２の主データを記録するための第３の記録領域と、
　複数の反射性フィルムが部分的に除去されていることにより前記第２の主データに関連する第２の識別データが記録された第４の記録領域と、
を有する光ディスク。
【請求項４】
　ディスクの第１領域に個別にコード化されている第１のコードをこのディスクから取出すステップと、取出された第１のコードを使用して前記第１のコードに関連する第１の主データを処理するステップと、を有し、
　更に、前記ディスクの第２の領域に個別にコード化されている第２のコードを前記ディスクから取出すステップと、
　取出された第２のコードを使用して前記第２のコードに関連する第２のデータを処理するステップと、
を有するディスクの処理方法。
【請求項５】
　ディスクの第１領域に第１の主データをコード化するステップと、前記第１の主データを識別するために前記ディスクの第２領域に第１のコードを個別にコード化するステップと、を有し、
　更に、前記ディスクの第３領域に第２の主データをコード化するステップと、
　前記第２の主データを識別するために前記ディスクの第４領域に第２のコードを個別にコード化するステップと、
を有するディスクの形成方法。
【発明の詳細な説明】
【技術分野】
【０００１】
　この発明は、一般的に言えば記録媒体上に情報をコード化（エンコーディング、ｅｎｃｏｄｉｎｇ）する技術分野に関し、特に、例えば、単一層のトラックあるいは多層トラックを持った片面形（シングル・サイデット・フォーマット、ｓｉｎｇｌｅ　ｓｉｄｅｄ　ｆｏｒｍａｔ）または両面形（ダブル・サイデッド・フォーマット、ｄｏｕｂｌｅ　ｓｉｄｅｄ　ｆｏｒｍａｔ）を含む、任意形式（フォーマット）のディスクを識別する（ｉｄｅｎｔｉｆｙ）システムおよび方法に関するものである。
【背景技術】
【０００２】
　ＣＤ−ＲＯＭのようなレーザ・ディスクは、オーディオ音楽および／またはコンピュータ・プログラムの流通にとって好ましい記録媒体となっている。極く最近、デジタル・ビデオ／バーサタイル・ディスク（Ｄｉｇｉｔａｌ　Ｖｉｄｅｏ／Ｖｅｒｓａｔｉｌｅ　Ｄｉｓｋｓ、ＤＶＤ）が発表された。これは、映画の全内容（フルレングス、ｆｕｌｌ−ｌｅｎｇｔｈ）からコンピュータ・プログラムまで何でも記録するために好ましいものとして選ばれることになろうと予想されている。
【０００３】
　ＣＤ−ＲＯＭに対してＤＶＤの有利な点の１つは、ＤＶＤの記憶（ストレージ、ｓｔｏｒａｇｅ）容量が特に優れていることである。現在、産業界の、読取り専用ディスク（Ｒｅａｄ−Ｏｎｌｙ　Ｄｉｓｋ）用のＤＶＤ規格書（東京の東芝株式会社より出版市販されている；以下「ＤＶＤ規格書またはＤＶＤ規格」という）は少なくとも下記のフォーマット（１２ｃｍのＤＶＤ　ＲＯＭディスクについて、各記憶容量で掲示）を定めている。
【表１】
2004087124.tif 000003
【０００４】
　上記の規格から、ＤＶＤの記憶容量は、現在のＣＤ−ＲＯＭで利用できる０．６５ＧＢという記憶容量に比べると格段に増大していることが判る。更に、４層以上のトラックをもった別の光ディスクも生産されている。
【０００５】
　ＤＶＤディスクのようなレーザ・ディスクすなわち光ディスクは、透明な基板内に封入された、アルミニウムのような反射性金属の箔で作られている。データは、ディスク上に連続した高密度の（タイト、ｔｉｇｈｔ）螺旋状に形成された一連の小さなピット（凹所、ｐｉｔ）として、この箔に記憶されている。このピットは、ポリカーボネート、アクリル樹脂、ポリオレフィン、またはこれらと同様な材料で作られたディスクを、プレス法でまたはインジェクション・モールディング法で、マスター・スタンパを使用して、最初にスタンピングすることによって、箔に形成される。次に、このインジェクション・モールドされたディスクの表面に、例えば金属アルミニウムをスパッタリングすることにより金属化層を作り、金属箔を持ったピットを形成する。このピットは、所要の反射性表面を呈し、ＤＶＤプレーヤからのレーザ・ビームを反射してディスク上にデータパターンを表すことができるようになる。
【０００６】
　上述のように、ＤＶＤ用として、現在、少なくとも４種の相異なるフォーマットが企図されている。片面形ＤＶＤの場合には、スタンピング処理されたディスクは、補助（ダミイ、ｄａｍｍｙ）基板に接合される。両面形ディスクの場合には、各々データを含んでいる金属箔層を持った２枚のディスク半部が、背中合わせに接合される。
【０００７】
　更に、ＤＶＤ規格で規定されているように、ディスクの各面に２つのデータ層を設けることもできる。単一層式ディスク（シングル・レヤー・ディスク）は、ディスクの１面当たり１トラックのみを有し、２層式ディスク（デュアル・レヤー・ディスク）はディスクの１面当たり２トラックを持っている。２層式ディスクは、例えば図１Ａに示されるように、主表面に近接した層０トラックと、主表面から離れた層１トラックを持っている。典型的な形としては、この２層式ディスク中の層０および層１の何れのデータも読出せるように、２重焦点（デュアル・フォーカス、ｄｕａｌ−ｆｏｃｕｓ）光学系が使用される。層０は意図的に半透明にされて、光学系のレーザがこの層０を通して層１に焦合（フォーカス）できるようになっている。
【０００８】
　図１Ｂには、既知の両面２層式ディスクのディスク構造が示されている。この一例ディスクは総計４層の反射層（ディスクの各面に２層ずつ）を持っている。両面形ディスクの読出しを行なうには、ユーザが手操作でディスクを反転すなわち裏返し（フリップ・オーバ、ｆｌｉｐ　ｏｖｅｒ）するか、或いはＤＶＤプレーヤがモータ機構を使って、自動的に、ディスクまたはレーザを裏返しする。
【０００９】
　一回の製造作業期間（マニュファクチャリング・ラン、ｍａｎｕｆａｃｔｕｒｉｎｇ　ｒｕｎ）中に生産されるレーザ・ディスクは、すべて、同一のスタンピング・マスタで形成されるから、それらが持っている内容（コンテンツ、情報）は、互いに同一であり、且つスタンピング・マスタのそれと同一である。各ディスクまたはプログラムに固有の或る種のデータ（例えば、通し番号や暗号化キー（ｅｎｃｒｙｐｔｉｏｎ　ｋｅｙ）など）をディスクに付けて、そのディスクやその内に含まれているプログラムを識別可能にできることが望ましいと考えられている。この様なデータを付けると、例えば、ある会社が番組有料利用制（ｐａｙ　ｐｅｒ　ｖｉｅｗ）をとって不法行為（著作権侵害、ｐｉｒａｃｙ）を防ぐことや、遠隔的にコンピュータ・プログラムを起動させることができるようになる。
【００１０】
　例えば、ＤＶＤディスクを使用して番組有料利用サービスを提供する場合には、会社は、映画番組の入ったＤＶＤディスクを非常に安いコストで配布し、その映画の再生回数に応じて視聴者に代金を請求するように、決めることができる。この番組有料利用制は、例えば、配布した個々のディスクやプログラムの各々にそれを特定化（個別化、ｉｎｄｉｖｉｄｕａｌｉｚｅ）する固有の通し番号を付けることによって、行なうことができる。ＤＶＤプレーヤは、もしこのプレーヤでディスクが再生（プレイ）されると、その通し番号を調べ（ｉｎｔｅｒｒｏｇａｔｅ）て検出（ｒｅｔｒｉｅｖｅ）することができるように、構成することができる。次に、この通し番号は、例えばＤＶＤプレーヤ中に内蔵されているモデム（ｍｏｄｅｍ）を介して、プログラム配給業者の（ｐｒｏｇｒａｍ　ｐｒｏｖｉｄｅｒ’ｓ）代金請求センタ（ｂｉｌｌｉｎｇ　ｃｅｎｔｅｒ）に送信され、そのＤＶＤプレーヤを備えている家庭に料金を請求することができる。
【００１１】
　上記形式の用途を支持するために、現行ＤＶＤ規格は、スタンピング後の生産工程で、製造業者が各ディスクに、レーザを使って、情報をエッチング形成できるように、ＤＶＤディスク上に或る領域を規定している（例えば、読取り専用ディスク用ＤＶＤ規格／パート１、物理的規格バージョン１．０、付属書Ｋ（ＤＶＤ　Ｓｐｅｃｉｆｉｃａｔｉｏｎｓ　ｆｏｒ　Ｒｅａｄ　Ｏｎｌｙ　Ｄｉｓｋ／Ｐａｒｔ１、Ｐｈｙｓｉｃａｌ　Ｓｐｅｃｉｆｉｃａｔｉｏｎ　Ｖｅｒｓｉｏｎ　１．０、Ａｎｎｅｘ　Ｋ）参照のこと）。
【００１２】
　このバースト・カッティング領域（Ｂｕｒｓｔ　Ｃｕｔｔｉｎｇ　Ａｒｅａ：ＢＣＡ）は、図２に示すように、ディスクの中心孔の中心から２２．３（＋０／−．４）ｍｍの内側円周と同じく２３．５０（＋／−．０５）ｍｍの外側円周の間に位置するように規定されている。バースト・カッティング領域は、単一層式または２層式の、片面ディスクについてのみ、このＤＶＤ規格に指定されている。２層式ディスクについては、このＤＶＤ規格は、片面形ディスクの層１にバースト・カッティング領域が在るべきことを要求している。
【００１３】
　コード化（ｅｎｃｏｄｅ）しようとする情報に従って、収れんしたレーザ・ビームを使用してディスクのアルミニウム反射層を部分的に除去することにより、バーコードに似た形状に縞が形成される。バースト・カッティング領域のこの剥ぎ取られた部分が、光レーザによって再生されるとき、反射光の量は０（ゼロ）に近い量まで低下する。このバースト・カッティング領域信号を正常なプログラムのピット（ｐｉｔ）信号と比較すると、バースト・カッティング領域信号のレベルは振幅が大きくまた周期（サイクル）が長い。従って、バースト・カッティング領域信号は、簡単な低域通過フィルタを通すことによって、容易にＤＶＤプログラム信号と区別することができる。
【００１４】
　ディスクの円周に沿って、最大２０００本の縞をバーコード状（ｂａｒ　ｃｏｄｅ　ｆｏｒｍ）に記録することができる。バースト・カッティング領域のストリップ（ｓｔｒｉｐ）に、現在は最大１８８バイトを収容することが可能で、これはバーコード状のコード化であれば、図２に示されたように、ディスクの円周に沿って３００度の回転角を占める。
【００１５】
　ＤＶＤ規格のバースト・カッティング領域要件を満たすように、ディスクに個別の情報をコード化できるレーザ・システムは、例えば、１９９７年７月付け発行の「ナショナル・テクニカル・レポート・オブ・ジャパン（Ｎａｔｉｏｎａｌ　Ｔｅｃｈｎｉｃａｌ　Ｒｅｐｏｒｔ　ｏｆ　Ｊａｐａｎ）」中の論文「ＤＶＤ　ＲＯＭディスクに個別情報を付加するためのバースト・カッティング領域記録技術（ＢＣＡ　Ｒｅｃｏｒｄｉｎｇ　Ｔｅｃｈｎｏｌｏｇｙ　ｆｏｒ　Ａｄｄｉｎｇ　Ｉｎｄｉｖｉｄｕａｌ　Ｉｎｆｏｒｍａｔｉｏｎ　ｏｎ　ＤＶＤ　ＲＯＭ　Ｄｉｓｋ）」に記載されている。
【００１６】
　同様に、Ｄ１、ＥＰ ０８０２５２７Ａ１には、第１の記録領域と識別データでコード化されたバースト・カッティング領域とを有する光ディスクが開示されている。このバースト・カッティング領域中のデータは、第１の記録領域に記録されているデータを判断（解読）するために使用される。しかし、このＤ１のどこも、光ディスクが相異なる複数の面や相異なる複数の層を持ち得ることや、１つのバースト・カッティング領域より多い数のバースト・カッティング領域をこのディスクで使用できること、を教示も示唆もしていない。
【００１７】
　要するに、現在のＤＶＤ規格は、上述の論文と同じく、１枚のディスクに多重（複数の、マルチプル）バースト・カッティング領域を含ませ得ること、またはバースト・カッティング領域を両面形ディスクに適用できること、或いは記録媒体の各層または各面が独自のバースト・カッティング領域を持ち得ること、については教示も示唆もしていない。
【発明の開示】
【発明が解決しようとする課題】
【００１８】
　本発明者は、１枚のディスク上に多重（複数の、マルチプル）レーザ−コード化された領域（以下、レーザ−コード化領域という）を設け得るようにすることが要望されていることは熟知している。特に、レーザ・ディスクのような記録媒体の各面におよび／または各層に、選択的に区別可能な情報を有する各レーザ−コード化領域を設けることが望ましい。このようにできると、ディスクの記憶内容を独特の方法で識別する、プログラム分配者（プログラム・ディストリビュータ）の能力（ケーパビリティ）が大幅に拡張されることになる。このようにすれば、例えば、番組有料利用システムの供給業者は、ディスク全体を通じて１つのバースト・カッティング領域しか持てない現在のＤＶＤ規格に制限されることなく、ディスク中の相異なる複数の層に、および／または相異なる面にコード化されている種々の映画を、配給することができるようになる。これで、プログラム配給のコストが大幅に低減されることになる。
【００１９】
　この発明の上記とは別の重要な面は、ディスクで１つよりも多い数のバースト・カッティング領域を使用し、しかもその異なるバースト・カッティング領域同士が重なり合う（オーバラップ）関係になるような場合には、そのバースト・カッティング領域を形成するためにアルミニウム反射面を除去する工程で使用するレーザ・カッティング・プロセスによって潜在的な欠陥が生じる可能性があるということを、本発明者が認識したことにある。この潜在的な問題点は、図３Ａと図３Ｂに例示されている。図３Ａは、バースト・カッティング領域に特定化（個別的）できる情報をコード化するために、反射層１の一部分を除去するプロセスを例示している。この除去操作は、例えば、図３Ａに示されるように、ディスクの反射層１上にＹＡＧレーザ・ビームを集束させることによって、行なわれる。反射層１のその部分は、融解し、この融けたアルミニウムは表面張力によって引張り去られて、後には図３Ａに示されるように、非金属部分３０１が残る。
【００２０】
　図３Ｂは、レーザ・カッティング・プロセスに問題がある場合、レーザエネルギの幾分かが対象層以外のこれと重畳関係（位置的に重なり合う関係）にある金属層例えば、記録媒体の、層１の下側に位置する層０に、不所望に吸収されることがある。このようなことが生じると、ディスクのこの重畳層０中に含まれているバースト・カッティング領域データが劣化することがある。この種の欠陥は、ディスクの層０に収容されている関連する使用者プログラムを役立たないものにしてしまう。
【課題を解決するための手段】
【００２１】
　従って、この発明は、第１面と第２面とを有する記録媒体を提供するものであって、この媒体の上記第１および第２面は各々プログラム・データを有し、この媒体の上記第１面の第１領域と上記第２面の第２領域とは、上記の各プログラム・データに関連する特定の情報を表わすレーザ−コード化されたデータを有している。
【００２２】
　この発明の一特徴として、上記の第１領域と第２領域は、互いに重畳関係（位置的に重なり合う関係）にはない。
【００２３】
　更に、記録媒体に第１と第２の選択的に区別可能なコードをコード化する装置も提供するもので、この装置は、上記第１のコードを、上記記録媒体の第１面における予め選択された第１層中の予め選択された第１位置にコード化する手段と、上記の記録媒体を裏返しにして第２面を出す手段と、上記第２のコードを、上記記録媒体の上記第２面における予め選択された第２層中の予め選択された第２位置にコード化する手段と、を具えている。
【発明を実施するための最良の形態】
【００２４】
　図４Ａには、両面２層式ディスク４０１の一例が示されている。このディスクは、この発明に従って、各層にバースト・カッティング領域（ＢＣＡ）を持っている。ディスクの各層における各それぞれのバースト・カッティング領域は、例えば、図２と図４Ａに示されたように、ＤＶＤ規格中に現に規定されている位置（すなわち、中心孔から、内側の円周は２２．３（＋０／−．４）ｍｍ、外側円周２３．５０（＋／−．０５）ｍｍ）と同じ位置を占めている。ＤＶＤ規格に現に規定されている位置と同一位置に各層のバースト・カッティング領域を設けることの利点は、この各バースト・カッティング領域にコード化されている特定の（固有の）コードを読出すようにするために、現用のＤＶＤプレーヤにハードウエアの変更を加える必要が無いことである。
【００２５】
　図４Ｂに示されたように、ディスク４０１のＡ面の層０用のバースト・カッティング領域は、Ａ面の層０中にコード化される。Ａ面の層１用のバースト・カッティング領域は、ディスク４０１のＡ面の層１中にコード化される。同様に、Ｂ面の層０のバースト・カッティング領域はディスク４０１のＢ面の層０中にコード化され、またＢ面の層１用のバースト・カッティング領域はディスク４０１のＢ面の層１中にコード化される。図４Ｂは、また、ディスク４０１の各層に対する各バースト・カッティング領域用の特定（特定化、個別、ｉｎｄｉｖｉｄｕａｌｉｚｅｄ）コードをコード化するために、ＹＡＧレーザを位置付けおよび集束する（例えば、位置（４０２−４０５）参照）方法を、例示している。層１は、既に説明しまた図１Ａに示されたように半反射性であるから、ＹＡＧレーザ・ビームは、ディスク４０１のこの層１を通して層０上に集束させることができる。
【００２６】
　上記したように、この発明の発明者は、記録媒体の各層における各バースト・カッティング領域を互いに重なり合うこと（重畳関係）が無いように配置して、潜在的な欠陥（発生する可能性のある欠陥）を最少にすることが望ましい、と認識している。図５は、この発明による、そのような一例形態を示している。
【００２７】
　図５は、両面２層式ディスクで、各層にバースト・カッティング領域を有するディスクを示している。それぞれバースト・カッティング領域は、例えば、ＤＶＤ規格に規定されているように位置付けされている（すなわち、中心孔の中心から、内側円周が２２．３（＋０／−．４）ｍｍの位置に、外側円周が２３．５０（＋／−．０５）ｍｍの位置に在るように位置付けられている）。しかし、４個のバースト・カッティング領域のすべてが互いに重畳関係にならないようにするために、各バースト・カッティング領域は、図５に示されるように、規定されたバースト・カッティング領域の円周のほぼ４分の１（１／４）を占めるように配分して位置決めされている。もちろん、各層の各バースト・カッティング領域に対し１象限を割当てるということの位置付けは、例示に過ぎない。この位置付けは、例えば、ディスクの各層にコード化するに必要な特定化された情報の量および使用するバースト・カッティング領域の実際の数に応じて、流動的に行なうことができる。各バースト・カッティング領域を、ＤＶＤ規格に現在規定されている公差と同じ公差内におさめることの利点は、この各バースト・カッティング領域にコード化されている特定コードの読出しができるようにするために、現在のＤＶＤプレーヤにハードウエアの変更を加えなくても良いということである。
【００２８】
　この発明によるディスクの別の実施例が図６に示されている。図６に示された両面２層式ディスクも、その各層用のバースト・カッティング領域を持っている。図５に示されたバースト・カッティング領域も、また、相互に重畳関係には無く、それによって、レーザ−コード化プロセスに起因する潜在的な欠陥（発生する可能性のある欠陥）を最少としている。図６のディスクの各層に対する各バースト・カッティング領域は、それぞれ、４本の連続した同心環のうちの１つを占めている。この４本の同心環は、互いに、バースト・カッティング領域に関するＤＶＤ規格で規定された領域（すなわち、内側円周として中心孔の中心から２２．３（＋０／−．４）ｍｍ、外側円周が中心孔中心から２３．５０（＋／−．０５）ｍｍであること）を、形成している。各バースト・カッティング領域は、薄いとしても、なおＤＶＤ規格で定められた公差以内にあるので、ＤＶＤプレーヤで通常使用されている赤色レーザは各バースト・カッティング領域に記録されている（エンベッデッド、ｅｍｂｅｄｅｄ）コードを支障なく読出すことができることになり、そのため、現在のＤＶＤハードウエアの変更は、要するとしても極めて少なくてすみ、すなわち実質的に必要としない。
【００２９】
　図７は、図５と図６に示された空間的な分離配置の組合わせを採用した、前述の形とは別のディスクの実施例を示している。図７に示されたように、Ａ面のバースト・カッティング領域は、ディスク７０１のＡ面の層１中に、且つ同ディスク７０１のＢ面におけるバースト・カッティング領域の位置に対して重なり合わない円周および／または重なり合わない半径を有する位置を占めるように、配置されている。このディスク７０１のＢ面のバースト・カッティング領域も、またこのディスクのＢ面の層１中に配置されている。
【００３０】
　図８は、特定化できる情報を、例えば図４−図７に示されているような多重形式にコード化するに適当する一例バースト・カッティング領域記録システム８００を示す。このシステム８００は、波長が１．０６μｍのＣＷ−Ｑスイッチ形のＹＡＧレーザ源８０１を使用するものである。このレーザ源８０１は、ディスク８０５のアルミニウム層を除去するために、短い時間期間中に、高エネルギ・パルスレーザ・ビームを印加する。このレーザ・ビームの１個のパルスは１本のバースト・カッティング領域縞を作ることができる。
【００３１】
　このシステム８００は、また、レーザ源からのビームを線状ビームに成形するための、線状ビーム成形光学系も持っている。線状ビーム成形システムは、ビーム拡大器８０２、筒状レンズ８０３および集束レンズ８０４を具えている。これら各要素の機能はこの技術分野で良く知られている。
【００３２】
　このシステムは、コード化処理を受けるディスク８０５を載置するターンテーブル８０７も持っている。ターンテーブル８０７は、回転信号プロセッサ８１０に結合された精密モータ８０９によって制御される。回転信号プロセッサ８１０は、プロセッサ制御器８１１から制御信号を受取り、続いてモータ８０９を駆動するための信号を送り出す。
【００３３】
　システム８００はプロセス制御器８１１の制御下にある。プロセス制御器８１１は、このシステムの全体的な動作をモニタして、レーザ源８０１、回転信号プロセッサ８１０、要素８０１−８０３から成る線状ビーム成形システム、およびピックアップ・アーム８０６を、図９に示す一例制御プログラムに従って制御するための適切な信号を発生する。
【００３４】
　図９は、システム８００の諸構成要素を制御してこの発明によりディスクにＢＣＡデータをコード化するために、プロセッサ制御器８１１が実行する一例制御プログラムを示している。
【００３５】
　図９に示されたように、ステップ９０１で、ピックアップ・アーム８０６は制御器８１１に制御されて先ずディスク８０５をターンテーブル８０７上に載置（ロード）する。ステップ９０３では、プロセス制御器８１１によって、或る通し番号というような、最初の特定化できるコードが選択される。次にステップ９０５で、ディスク８０５は、その予め選択された層の予め選択された位置に、上記選択されたコードが、コード化される。制御器８１１はビーム成形システムに、レーザ源８０１からのレーザ・ビームを、そのディスクに設けられている選択された層上に集束させるようにする。例えば、そのバースト・カッティング領域（Ｂｕｒｓｔ　Ｃｕｔｔｉｎｇ　Ａｒｅａ：ＢＣＡ）は、ＤＶＤ規格に規定されているように、２層式ディスクの層１に配置されている。ＢＣＡデータがレーザ８０１によって書込まれるにつれて、制御器８１１は、必要な信号を発生して回転信号プロセッサ８１０を制御し、次いで制御器８１０はモータ８０９を適切に回転させる。
【００３６】
　最初のコードによる第１のＢＣＡへのコード化処理が終了した後、制御器８１１は、ステップ９１５において、ピックアップ・アーム８０６に指示して、ディスクを反転（裏返し）させて他方の面を上に向ける。次に、制御器８１１は、ステップ９２０で、ディスクのこの（上を向いた）面用のＢＣＡに使用するため、２番目の特定化されたコードを取り出す。ステップ９２５で、制御器８１１は、このディスクのこの面上の予め選択された位置に、上記２番目の特定化できるコードがカットされるように、ディスクおよび／またはレーザ・ビームを位置付ける。この予め選択された位置は、ディスクの他方の面のＢＣＡに対して、例えば図４Ａおよび図４Ｂに示されるように重畳関係にあるか、或いは例えば図５−図７に示されるように非重畳関係に設けられる。ディスクのこの面のＢＣＡに非重畳関係にコード化するには、例えば図５に示されるように、ディスクの他方の面にある第１のＢＣＡに対してディスクのそれと異なる回転角位置をレーザ源８０１からのビームが衝撃（ヒット）するようにモータ８０９を動かすことによって、或いは、例えば図６に示されるように、ディスクの中心から異なった半径位置に集束レンズ８０４を動かすことによって、行なうことができる。従って、この発明によれば、同じディスクに、重畳関係にでも非重畳関係にでも、ＢＣＡをエッチングすることができる。
【００３７】
　図１０には、この発明に従って、ディスクの各面にバースト・カッティング領域を有する両面形ディスク、またはディスクの選択された層にバースト・カッティング領域を有する多層式ディスクの情報を再生および処理するのに使用される、一例レーザ・ディスク・プレーヤ１０００が示されている。この一例レーザ・ディスク・プレーヤ１０００は下記の主要な構成要素で構成されている。
【００３８】
　ディスク読出し器機構１１１０は、ディスク１１１２を回転させるモータ１１１１、ディスク１１１２から情報を読出すレーザ源１１１３、および両面形ディスクの他方の面の読出しもできるようにディスクを反転させるためのアーム／ディスク面切換器１１１４で構成されている。既述のように、プレーヤにディスクの他方の面の読出しを可能とするための、上記以外の方法は、レーザ源１１１３をディスクの他面側に機械的に動かすか、或いは、使用者が手操作でディスクを裏返しにすることである。レーザ源１１１３は、代表的なものとしては、波長が６３５ｎｍまたは６５０ｎｍの赤色光レーザ・ダイオードである。
【００３９】
　ＤＶＤ−ＤＳＰ（Ｄｉｇｉｔａｌ　Ｓｉｇｎａｌ　Ｐｒｏｃｅｓｓｏｒ：デジタル信号プロセッサ）１１２０は、読出しが行なわれているディスクからのレーザ反射ビームを電気的な形に変換して、プレーヤ１０００中の他の部分がこの電気的情報を処理できるようにする回路である。このＤＶＤ−ＤＳＰ１１２０は、また、レーザ１１１３の制御およびモータ１１１１などを含めてこのディスク読出し器機構１１１０の補助要素をモニタし制御するのに必要な回路も含んでいる。
【００４０】
　ＤＶＤ−ＤＳＰ１１２０からの電気的情報は、デジタル・オーディオ／ビデオ・デコーダ部１１３０に送られる。このデジタル・オーディオ／ビデオ・デコーダ部１１３０は、ディスク上の圧縮されているデータを再構成（リコンストラクト）し、それを、ＴＶやステレオ・システムに出力するための、スタジオ級品質のビデオおよびＣＤ級品質のオーディオに変換する回路である。
【００４１】
　詳しく説明すると、デコーダ１１３０は、ディスクから得られる圧縮されたデータをデマルチプレクス（分離）して、３種の異なるデータの流れにするデマルチプレクサ１１３１より成る。第１のデータの流れはデマルチプレクスされた（分離された、ｄｅｍｕｘｅｄ）ＭＰＥＧビデオの流れで、この流れはＭＰＥＧビデオ・デコーダ１１３２に送られる。第２のデータの流れはデマルチプレクスされたオーディオ・データの流れで、（ドルビーＡＣ３（Ｄｏｌｂｙ　ＡＣ３）またはＭＰＥＧオーディオ・デコーダのような）適当な形式のオーディオ・デコーダ１１３３に供給される。第３のデータの流れはデマルチプレクスされた副画像（サブピクチャ、ｓｕｂｐｉｃｔｕｒｅ）データで、サブタイトル、キャプション、メニュなどの副画像を処理し、且つＯＳＤおよび使用者がメニュする（ｍｅｎｕｉｎｇ）情報を発生する、副画像処理回路１１３４およびＯＳＤ発生回路１１３５に、供給される。
【００４２】
　デコードされ処理されたこのＭＰＥＧビデオおよび副画像／ＯＳＤビデオ・データの流れは、次に、マルチプレクサ１１３６によって互いにマルチプレクスされる（多重化される、ｍｕｘｅｄ）。この組合わせられたビデオ情報は、ＮＴＳＣ／ＰＡＬ方式のエンコーダ１１４０に送られ、そこでこのデジタル・ビデオ情報はアナログＮＴＳＣまたはＰＡＬ方式のテレビジョン（図示されていない）で表示するために、ＮＴＳＣまたはＰＡＬ方式の両立性アナログ・フォーマットに変換される。
【００４３】
　リモート制御器（図示されていない）または前面パネル（図示されていない）から与えられる使用者による入力を、ディスク・プレーヤ１０００の種々の要素に対する命令（コマンド）に変換する動作も含めて、プレーヤ１０００の動作を制御するために、マイクロ制御器１１５０が設けられている。このマイクロ制御器１１５０は、また、親権者による番組禁止機能（パレンタル・ロックアウト、ｐａｒｅｎｔａｌ　ｌｏｃｋｏｕｔ）、各レーザ−コード化領域からのデータ読出し、およびアクセス・コード確認のためのプログラム配給業者に対するダイヤリング（ｄｉａｌｉｎｇ）などの諸機能を実行する役目も果たす。
【００４４】
　通信制御器（ｃｏｍｍｕｎｉｃａｔｉｏｎ　ｃｏｎｔｒｏｌ）１１６０は、マイクロ制御器１１５０に応動して、プログラム配給業者との間の情報通信、例えば、確認または料金請求の目的で、バースト・カッティング領域（ＢＣＡ）から読出した通し番号のプログラム配給業者への送信を行なう。この通信制御器１１６０は、代表的には、直接ダイヤリングによる電話網１１７０を通して或いはインタネット・サービス・プロバイダ（Ｉｎｔｅｒｎｅｔ　Ｓｅｒｖｉｃｅ　Ｐｒｏｖｉｄｅｒ：ＩＳＰ）を通して、サービス・プロバイダと通信するためのモデムを具えている。
【００４５】
　図１１は、各レーザ−コード化領域からコードを読出すための一例サブルーチンを示している。このサブルーチンは、この例のレーザ・ディスク・プレーヤ１０００のマイクロ制御器１１５０によって実行されて、この発明により同じディスクに設けられている相異なるＢＣＡの識別と処理が行なわれる。ステップ１９１０では、プレーヤ１０００中のディスクの導入（リードイン、ｌｅａｄ−ｉｎ）部が、レーザ源１１１３によって読出され、次いで、この導入部に含まれていた情報がマイクロ制御器１１５０によって、処理される。ディスクのこの導入部には、ディスクの物理（機械）的形態に関するデータが含まれている。この導入部に入っている情報は、一般に、ディスクの層数、ディスクのサイズ、およびこのディスクがＢＣＡを含んでいるかどうかなどに関するデータを含んでいる。もし、プレーヤ１０００が、このディスクは１層より多い数のトラック層を含んでいると判断すると、このプレーヤは、ステップ１９２０および１９４０に示されるように、このディスクは１個より多い数のＢＣＡ（例えば、各層当たり１トラックとして）を含んでいるものと決める。更に、上記とは別の実施例では、ディスクの導入部に入っているデータが、処理されているディスクのＢＣＡの数を具体的に表示するものであってもよく、そうするとプレーヤはこの情報に応じて、予め定められた複数位置における１個以上のＢＣＡを探すことになる。
【００４６】
　この導入部が、ステップ１９３０が示すように、このディスクにはただ１個のＢＣＡしか存在しない旨を表わしている場合は、ＤＶＤプレーヤ１０００は、例えば現在のＤＶＤ規格に規定されているこのＢＣＡの読出しにとりかかる。一旦このＢＣＡが読出されると、プレーヤ１０００は、ステップ１９９５で、ＢＣＡコードを読出すためのこのサブルーチンを終える。
【００４７】
　もし、このプレーヤ１０００が、このディスクには１個よりも多い数のＢＣＡがあると判断すると、プレーヤは先ずこのディスク中のＢＣＡの数を確かめることになる。次に、プレーヤ１０００は、ステップ１９５０に示されたように、１番目の予め定められたＢＣＡを探し、この１番目のＢＣＡに含まれているコードを読出す。例えば、もしこのディスクが図５に示された形態（フォーマット）のものであったら、ＤＶＤプレーヤは先ずレーザ源１１１３からのビームを層１上に集束して層１上のＢＣＡデータを読出す。次に、このＤＶＤプレーヤ１０００は、このＢＣＡをメモリに記憶させると共にこのＢＣＡがどのプログラムに関連するものであるかを表示する（例えば、この１番目のＢＣＡコードはディスクのＡ面の第１層用のものであることを表示する）。次いで、このＤＶＤプレーヤは、ステップ１９７０で、次のＢＣＡを探しこの次のＢＣＡからコードを読出そうとする。例えば、ＤＶＤプレーヤ１０００は、次に、レーザ源１１１３にそのレーザ・ビームをディスクのＡ面の層０に集束させるようにする。次に、ステップ１９８０で、プレーヤは、ディスクのＡ面の層０におけるプログラムに対する上記次のＢＣＡコードを記憶する。次に、プレーヤは、ステップ１９９０に示されるように、ディスク中のすべてのＢＣＡが処理され読出されるまで、このディスクを裏返しに反転させてディスクの他方の面からＢＣＡデータを読出すことを含めて、上記のプロセスを繰返す。
【００４８】
　なお、この明細書および図面に示し且つ説明した実施例とその変形は、単なる例示にすぎず、この技術分野の専門家はこの発明の範囲と精神を逸脱することなく、種々の変更を行なうことができるものと、理解すべきである。
【００４９】
　以下に他の実施例を例示する。
１．第１面と第２面を有する記録媒体であって、
　前記記録媒体の前記第１面と前記第２面における各プログラム・データと、
　前記記録媒体の、前記第１面上の第１領域と前記第２面上の第２領域と、を有し、
　前記両領域が、前記各プログラム・データを識別する情報を表わすレーザ−コード化データを有する、記録媒体。
２．前記第１領域と前記第２領域とが、互いに重なり合っていない位置を占めている、上記１に記載された記録媒体。
３．前記第１領域が、前記第２領域と、実質的に同じ内側円周および外側円周を有するが、異なる角度位置を有する、上記２に記載された記録媒体。
４．前記第１領域と第２領域とが、互いに同心環状に配置されている、上記２に記載された記録媒体。
５．前記記録媒体がＤＶＤディスクである、上記１に記載された記録媒体。
６．各々プログラム・データを含んでいる第１層および第２層と、
　前記第１層上の第１領域と前記第２層上の第２領域であって、共に特定化された情報を表わすレーザ−コード化データを有する両領域と、
を有する、記録媒体。
７．前記第１領域と前記第２領域とが、互いに重なり合っていない位置を占めている、上記６に記載された記録媒体。
８．前記第１領域が、前記第２領域と、実質的に同じ内側円周と外側円周を有するが、異なる角度位置を有する、上記６に記載された記録媒体。
９．前記第１領域と第２領域とが、互いに同心環状に配置されている、上記６に記載された記録媒体。
１０．前記記録媒体がＤＶＤディスクである、上記６に記載された記録媒体。
１１．前記第１層と第２層とが、前記記録媒体の同一面に設けられている、上記６に記載された記録媒体。
１２．前記第１領域と第２領域とが、前記ＤＶＤディスクのバースト・カッティング領域である、上記１０に記載された記録媒体。
１３．前記第１領域と前記第２領域とが、前記ＤＶＤディスクのバースト・カッティング領域である、上記５に記載された記録媒体。
１４．第１のプログラムを記憶するための第１層と、
　第２のプログラムを記憶するための第２層と、
　前記第１のプログラムを識別するためのレーザ−コード化データを有する、前記第１層の領域と、
　前記第２のプログラムを識別するためのレーザ−コード化データを有する、前記第２層の領域と、
を具えているＤＶＤディスク。
１５．記録媒体上に選択的に区別できる第１と第２のコードをレーザ−コード化するための装置であって、
　前記第１のコードを、前記記録媒体上の予め選択された第１層中の予め選択された第１の位置にコード化する手段と、
　前記第２のコードを、前記記録媒体上の予め選択された第２層中の予め選択された第２の位置にコード化する手段と、
を有する前記装置。
１６．前記の第１層と第２層とが、前記記録媒体の互いに反対側の面に設けられている、上記１５に記載された装置。
１７．前記記録媒体を、一方の面から他方の面へ反転させる手段を更に有する、上記１６に記載された装置。
１８．前記第１の位置が前記第２の位置と重なり合っていない、上記１５に記載された装置。
１９．ディスク上の１個より多い数のプログラムを識別するための１個より多い数のコード化データを有するディスクを処理する方法であって、
　前記ディスク上のレーザ−コード化領域の数を表わすカウントを識別し、
　前記ディスク上の第１のレーザ−コード化領域からの読出しによって、第１のレーザ−コード化データを求め、
　読取ったレーザ−コード化領域の数が前記カウントに等しくなるまで、前記ディスク上のその後に続くレーザ−コード化領域からの読出しによってその後に続くレーザ−コード化データを得る、ことから成る、ディスクの処理方法。
２０．前記レーザ−コード化領域が、ＤＶＤディスクに対するバースト・カッティング領域である、上記１９に記載された処理方法。
２１．第１の主データがピットの形式で記録されている第１の記録領域と、この第１の記録領域中の予め定められた領域であり且つ複数の反射性フィルムが部分的に除去されていることにより前記第１の主データに関連する第１の識別データが記録された第２の記録領域とを有する光ディスクであって、
　第２の主データを記録するための第３の記録領域と、
　複数の反射性フィルムが部分的に除去されていることにより前記第２の主データに関連する第２の識別データが記録された第４の記録領域と、
を有する光ディスク。
２２．ディスクの第１領域に個別にコード化されている第１のコードをこのディスクから取出すステップと、取出された第１のコードを使用して前記第１のコードに関連する第１の主データを処理するステップと、を有し、
　更に、前記ディスクの第２の領域に個別にコード化されている第２のコードを前記ディスクから取出すステップと、
　取出された第２のコードを使用して前記第２のコードに関連する第２のデータを処理するステップと、
を有するディスクの処理方法。
２３．ディスクの第１領域に第１の主データをコード化するステップと、前記第１の主データを識別するために前記ディスクの第２領域に第１のコードを個別にコード化するステップと、を有し、
　更に、前記ディスクの第３領域に第２の主データをコード化するステップと、
　前記第２の主データを識別するために前記ディスクの第４領域に第２のコードを個別にコード化するステップと、
を有するディスクの形成方法。
【図面の簡単な説明】
【００５０】
【図１Ａ】２層式ＤＶＤディスクの一例構造を示している。
【図１Ｂ】２層式の両面形ＤＶＤディスクの構造を示している。
【図２】ディスクのバースト・カッティングすなわちレーザ・カッティング領域の一形態を示している。
【図３Ａ】バースト・カッティング領域を形成するように金属層の一部分を除去する方法を示している。
【図３Ｂ】対象外の重畳バースト・カッティング領域に損傷が発生する態様を示している。
【図４Ａ】この発明により、ディスクの各層に、互いに重畳したバースト・カッティング領域を有する一例ディスクを示している。
【図４Ｂ】この発明により、ディスクの各層に、互いに重畳したバースト・カッティング領域を有する一例ディスクを示している。
【図５】この発明により、両面形の２層式ディスクの各層に、ディスク中で互いに重畳関係にない別々の領域を占有する各バースト・カッティング領域を有する、一例ディスクを示している。
【図６】この発明により、４層式ディスクの各層に、ディスク中で互いに重畳関係にない同心円を占めるバースト・カッティング領域を有する、一例ディスクを示している。
【図７】２面形ディスクの各面に、ディスク上で互いに重畳関係にない別々の領域を占めるバースト・カッティング領域を有する、一例ディスクを示している。
【図８】この発明による、一例ディスクを製作することのできる、一例レーザ・カッティング装置を示している。
【図９】この発明による、図８に示す装置を制御するための一例制御プログラムを示している。
【図１０】この発明により、バースト・カッティング領域を有するディスクの情報を再生および処理するのに使用される、レーザ・ディスク・プレーヤを示している。
【図１１】この発明により、各レーザ−コード化領域からコードを読出すための一例サブルーチンを示している。
【符号の説明】
【００５１】
３０１　非金属部分
４０１　ディスク
７０１　ディスク
８００　バースト・カッティング領域記憶システム
８０１　ＹＡＧレーザ源
８０２　ビーム拡大器
８０３　筒状レンズ
８０４　集束レンズ
８０５　ディスク
８０６　ピックアップ・アーム
８０７　ターンテーブル
８０９　精密モータ
８１０　回転信号プロセッサ
１０００　レーザ・ディスク・プレーヤ
１１１０　ディスク読出し器機構
１１１１　モータ
１１１２　ディスク
１１１３　レーザ源
１１１４　アーム／ディスク面切換器
１１２０　ＤＶＤ−ＤＳＰ
１１３０　デコーダ
１１３１　デマルチプレクサ
１１３２　ＭＰＥＧビデオ・デコーダ
１１３３　オーディオ・デコーダ
１１３４　副画像処理回路
１１３５　ＯＳＤ発生回路
１１３６　マルチプレクサ
１１４０　ＮＴＳＣ／ＰＡＬエンコーダ
１１５０　マイクロ制御器
１１６０　通信制御器
１１７０　電話網
【図１Ａ】
2004087124.tif 000004
【図１Ｂ】
2004087124.tif 000005
【図２】
2004087124.tif 000006
【図３Ａ】
2004087124.tif 000007
【図３Ｂ】
2004087124.tif 000008
【図４Ａ】
2004087124.tif 000009
【図４Ｂ】
2004087124.tif 000010
【図５】
2004087124.tif 000011
【図６】
2004087124.tif 000012
【図７】
2004087124.tif 000013
【図８】
2004087124.tif 000014
【図９】
2004087124.tif 000015
【図１０】
2004087124.tif 000016
【図１１】
2004087124.tif 000017